(57)【特許請求の範囲】
【請求項１】
入指令および切指令により動作する制御装置、
この制御装置の前記入指令による動作により通電される開閉器の投入用のコイル、
前記制御装置の前記切指令による動作により通電される開閉器の開放用のコイル、
前記投入用のコイルが通電されると主接点が入動作しその第１の補助接点が動作し、前記開放用のコイルが通電されると前記主接点が切動作しその第２の補助接点が動作する開閉器、及び
前記入指令の発令情報の信号と前記投入用のコイルの前記通電の開始情報の信号と前記第１の補助接点の前記動作の情報の信号と前記切指令の発令情報の信号と前記開放用のコイルの前記通電の開始情報の信号と前記第２の補助接点の前記動作の情報の信号とを入力し、前記入指令の発令情報の信号と前記投入用のコイルの前記通電の開始情報の信号とに基づいて前記入指令の発令から前記投入用のコイルの前記通電の開始までの時間が所定時間の範囲外であれば前記制御装置の開閉器入時の異常と判定し、前記投入用のコイルの前記通電の開始情報の信号と前記第１の補助接点の前記動作の情報の信号とに基づいて前記投入用のコイルの前記通電の開始から前記第１の補助接点の前記動作までの時間が所定時間の範囲外であれば前記開閉器の開閉器入時の異常と判定して、前記制御装置の開閉器入動作時内部異常と前記開閉器の開閉器入動作時内部異常とを区別して検出すると共に、前記切指令の発令情報の信号と前記開放用のコイルの前記通電の開始情報の信号とに基づいて前記切指令の発令から前記開放用のコイルの前記通電の開始までの時間が所定時間の範囲外であれば前記制御装置の開閉器切時の異常と判定し、前記開放用のコイルの前記通電の開始情報の信号と前記第２の補助接点の前記動作の情報の信号とに基づいて前記開放用のコイルの前記通電の開始から前記第２の補助接点の前記動作までの時間が所定時間の範囲外であれば前記開閉器の開閉器切時の異常と判定して、前記制御装置の開閉器切動作時内部異常と前記開閉器の開閉器切動作時内部異常とを区別して検出する動作状態検出装置
を備えた開閉装置動作異常検出装置。
【請求項２】
請求項１に記載の開閉装置動作異常検出装置において、
前記制御装置および前記開閉器の周囲環境の温度を測定し周囲環境温度の情報の信号を前記動作状態検出装置に与える温度センサを備え、
前記動作状態検出装置が、所定の温度より前記周囲環境温度が低い場合の前記所定時間より前記周囲環境温度が高い場合の前記所定時間を短くすることを特徴とする開閉装置動作異常検出装置。
【請求項３】
請求項１または請求項２に記載の開閉装置動作異常検出装置において、
前記異常と判定する前記所定時間に時間幅を持たせ、この時間幅の範囲外の場合に前記異常と判定することを特徴とする開閉装置動作異常検出装置。
【請求項４】
請求項１〜請求項３の何れか一に記載の開閉装置動作異常検出装置において、
前記コイルの電源電圧の情報が前記動作状態検出装置に与えられ、前記動作状態検出装置が、所定の電圧より前記電源電圧が上がれば前記所定時間を短くし、前記電源電圧が下がれば前記所定時間を長くすることを特徴とする開閉装置動作異常検出装置。
【請求項５】
請求項１〜請求項４の何れか一に記載の開閉装置動作異常検出装置において、
前記制御装置と前記開閉器と前記動作状態検出装置とが閉鎖配電盤に内蔵されていることを特徴とする開閉装置動作異常検出装置。
【請求項６】
請求項１〜請求項４の何れか一に記載の開閉装置動作異常検出装置において、
前記制御装置と前記開閉器と前記動作状態検出装置とが、複数台の閉鎖配電盤の各々に内蔵されていることを特徴とする開閉装置動作異常検出装置。
【請求項７】
請求項１〜請求項６の何れか一に記載の開閉装置動作異常検出装置において、
前記動作状態検出装置は、前記異常の時に外部への警報出力を出すことを特徴とする開閉装置動作異常検出装置。
【請求項８】
入指令により動作する第１の開閉要素、
この第１の開閉要素の前記動作により動作する第２の開閉要素、
この第２の開閉要素の前記動作により動作し開閉器の投入用のコイルに通電する第３の開閉要素、
前記投入用のコイルへの通電により前記開閉器の主接点が入動作すると動作する第４の開閉要素、
切指令により動作する第５の開閉要素、
この第５の開閉要素の前記動作により動作する第６の開閉要素、
この第６の開閉要素の前記動作により動作し開閉器の開放用のコイルに通電する第７の開閉要素、
前記開放用のコイルへの通電により前記開閉器の主接点が切動作すると動作する第８の開閉要素、及び
前記第１の開閉要素の前記動作の情報の信号と前記第３の開閉要素の前記動作の情報の信号と前記第４の開閉要素の前記動作の情報の信号とから、前記第２の開閉要素及び前記第３の開閉要素を含む制御装置の開閉器入動作時内部異常と、前記第４の開閉要素を含む前記開閉器の開閉器入動作時内部異常とを判別して、前記制御装置の開閉器入動作時内部異常と前記開閉器の開閉器入動作時内部異常とを区別して検出すると共に、
前記第５の開閉要素の前記動作の情報の信号と前記第７の開閉要素の前記動作の情報の信号と前記第８の開閉要素の前記動作の情報の信号とから、前記第６の開閉要素及び前記第７の開閉要素を含む制御装置の開閉器切動作時内部異常と、前記第８の開閉要素を含む前記開閉器の開閉器切動作時内部異常とを判別して、前記制御装置の開閉器切動作時内部異常と前記開閉器の開閉器切動作時内部異常とを区別して検出する動作状態検出装置
を備えた開閉装置動作異常検出装置。
【請求項９】
切指令により動作する第５の開閉要素、
この第５の開閉要素の前記動作により動作する第６の開閉要素、
この第６の開閉要素の前記動作により動作し開閉器の開放用のコイルに通電する第７の開閉要素、
前記開放用のコイルへの通電により前記開閉器の主接点が切動作すると動作する第８の開閉要素、及び
前記第５の開閉要素の前記動作の情報の信号と前記第７の開閉要素の前記動作の情報の信号と前記第８の開閉要素の前記動作の情報の信号とから、前記第６の開閉要素及び前記第７の開閉要素を含む制御装置の開閉器切動作時内部異常と、前記第８の開閉要素を含む前記開閉器の開閉器切動作時内部異常とを判別して、前記制御装置の開閉器切動作時内部異常と前記開閉器の開閉器切動作時内部異常とを区別して検出する動作状態検出装置
を備えた開閉装置動作異常検出装置。
【発明の詳細な説明】
【技術分野】
【０００１】
この発明は、開閉器を制御装置を介して開閉する開閉装置の動作異常を検出する開閉装置動作異常検出装置に関するものである。
【背景技術】
【０００２】
従来、遮断器投入指令から遮断器の投入動作が検出されるまでの時間、遮断器遮断指令から遮断器の遮断動作が検出されるまでの時間を監視することにより、遮断器の遮断動作が正常に行われたか否かを監視する遮断器用監視装置がある。（実開平７−２７２５８参照）
【０００３】
また、開閉器の投入ソレノイドに流れる電流を監視することで開閉器の動作を監視する開閉器動作監視装置がある。（特開平４−１６８３８２参照）
【先行技術文献】
【特許文献】
【０００４】
【特許文献１】実開平７−２７２５８号公報（図１及びその説明）
【特許文献２】特開平４−１６８３８２号公報（第３図及びその説明）
【発明の概要】
【発明が解決しようとする課題】
【０００５】
開閉器の投入、開放は通常は補助リレー等の制御装置を介して行われる。開閉器の投入、開放動作に異常が発生する場合、異常原因が制御装置にある場合と開閉器にある場合とがあるが、従来の監視装置では、異常原因箇所の特定がされないことから、故障箇所、故障原因を調査、特定するのには想定される原因全てを考慮した試験装置、工具などを現地へ持ち込む必要があり、かつ大人数で出向く必要があり多大な時間と労力を要していた。
【０００６】
この発明は、前述のような実情に鑑みてなされたもので、異常原因が制御装置及び開閉器の何れにあるのか判別できるようにすることを目的とするものである。
【課題を解決するための手段】
【０００７】
この発明に係る開閉装置動作異常検出装置は、入指令及び切指令により動作する制御装置、
この制御装置の前記入指令による動作により通電される開閉器の投入用のコイル、
前記制御装置の前記切指令による動作により通電される開閉器の開放用のコイル、
前記投入用のコイルが通電されると主接点が入動作しその第１の補助接点が動作し、前記開放用のコイルが通電されると前記主接点が切動作しその第２の補助接点が動作する開閉器、及び
前記入指令の発令情報の信号と前記投入用のコイルの前記通電の開始情報の信号と前記第１の補助接点の前記動作の情報の信号と前記切指令の発令情報の信号と前記開放用のコイルの前記通電の開始情報の信号と前記第２の補助接点の前記動作の情報の信号とを入力し、前記入指令の発令情報の信号と前記投入用のコイルの前記通電の開始情報の信号とに基づいて前記入指令の発令から前記投入用のコイルの前記通電の開始までの時間が所定時間の範囲外であれば前記制御装置の開閉器入時の異常と判定し、前記投入用のコイルの前記通電の開始情報の信号と前記第１の補助接点の前記動作の情報の信号とに基づいて前記投入用のコイルの前記通電の開始から前記第１の補助接点の前記動作までの時間が所定時間の範囲外であれば前記開閉器の開閉器入時の異常と判定して、前記制御装置の開閉器入動作時内部異常と前記開閉器の開閉器入動作時内部異常とを区別して検出すると共に、前記切指令の発令情報の信号と前記開放用のコイルの前記通電の開始情報の信号とに基づいて前記切指令の発令から前記開放用のコイルの前記通電の開始までの時間が所定時間の範囲外であれば前記制御装置の開閉器切時の異常と判定し、前記開放用のコイルの前記通電の開始情報の信号と前記第２の補助接点の前記動作の情報の信号とに基づいて前記開放用のコイルの前記通電の開始から前記第２の補助接点の前記動作までの時間が所定時間の範囲外であれば前記開閉器の開閉器切時の異常と判定して、前記制御装置の開閉器切動作時内部異常と前記開閉器の開閉器切動作時内部異常とを区別して検出する動作状態検出装置
を備えたものである。
【発明の効果】
【０００８】
この発明は、入指令及び切指令により動作する制御装置、この制御装置の前記入指令による動作により通電される開閉器の投入用のコイル、前記制御装置の前記切指令による動作により通電される開閉器の開放用のコイル、前記投入用のコイルが通電されると主接点が入動作しその第１の補助接点が動作し、前記開放用のコイルが通電されると前記主接点が切動作しその第２の補助接点が動作する開閉器、及び前記入指令の発令情報の信号と前記投入用のコイルの前記通電の開始情報の信号と前記第１の補助接点の前記動作の情報の信号と前記切指令の発令情報の信号と前記開放用のコイルの前記通電の開始情報の信号と前記第２の補助接点の前記動作の情報の信号とを入力し、前記入指令の発令情報の信号と前記投入用のコイルの前記通電の開始情報の信号とに基づいて前記入指令の発令から前記投入用のコイルの前記通電の開始までの時間が所定時間の範囲外であれば前記制御装置の開閉器入時の異常と判定し、前記投入用のコイルの前記通電の開始情報の信号と前記第１の補助接点の前記動作の情報の信号とに基づいて前記投入用のコイルの前記通電の開始から前記第１の補助接点の前記動作までの時間が所定時間の範囲外であれば前記開閉器の開閉器入時の異常と判定して、前記制御装置の開閉器入動作時内部異常と前記開閉器の開閉器入動作時内部異常とを区別して検出すると共に、前記切指令の発令情報の信号と前記開放用のコイルの前記通電の開始情報の信号とに基づいて前記切指令の発令から前記開放用のコイルの前記通電の開始までの時間が所定時間の範囲外であれば前記制御装置の開閉器切時の異常と判定し、前記開放用のコイルの前記通電の開始情報の信号と前記第２の補助接点の前記動作の情報の信号とに基づいて前記開放用のコイルの前記通電の開始から前記第２の補助接点の前記動作までの時間が所定時間の範囲外であれば前記開閉器の開閉器切時の異常と判定して、前記制御装置の開閉器切動作時内部異常と前記開閉器の開閉器切動作時内部異常とを区別して検出する動作状態検出装置を備えているので、同じ動作状態検出装置で、投入時および解放時の何れの場合も、異常原因が制御装置及び開閉器の何れにあるのか判別できる効果がある。
【図面の簡単な説明】
【０００９】
【図１】この発明の実施の形態１を示す図で、閉鎖配電盤内蔵の開閉装置にこの発明を適用した一例を示す接続図である。
【図２】この発明の実施の形態１を示す図で、図１の事例における開閉器入動作時の各部の動作をタイムチャートで例示する動作説明図である。
【図３】この発明の実施の形態１を示す図で、図１の事例における開閉器切動作時の各部の動作をタイムチャートで例示する動作説明図である。
【図４】この発明の実施の形態１を示す図で、図１の事例における開閉器入動作時の動作状態検出装置の動作をフローチャートで例示する動作説明図である。
【図５】この発明の実施の形態１を示す図で、図１の事例における開閉器切動作時の動作状態検出装置の動作をフローチャートで例示する動作説明図である。
【図６】この発明の実施の形態１を示す図で、図１の事例における開閉器入動作時の動作特性を例示する特性図である。
【図７】この発明の実施の形態１を示す図で、図１の事例における開閉器切動作時の動作特性を例示する特性図である。
【図８】この発明の実施の形態１を示す図で、図１の事例における補助ルレー、電磁接触器の動作特性を例示する特性図である。
【図９】この発明の実施の形態１を示す図で、制御装置、開閉器の周囲環境の環境温度を異常検出の判定要素に入れない場合における開閉器入動作時の動作特性を例示する特性図である。
【図１０】この発明の実施の形態１を示す図で、図１の事例における動作状態検出装置の内部構成の事例を示す概念図である。
【図１１】この発明の実施の形態１を示す図で、図１の事例における閉鎖配電盤内の概略構成を示す側面図である。
【図１２】この発明の実施の形態２を示す図で、閉鎖配電盤が複数台ある場合の事例を示す接続図である。
【図１３】この発明の実施の形態３を示す図で、閉鎖配電盤が複数台ある場合の他の事例を示す接続図である。
【図１４】この発明の実施の形態１に至る過程で生まれた技術の事例を示す接続図である。
【図１５】この発明の実施の形態１に至る過程で生まれた技術の事例を示す図で、図１４の事例における開閉器入動作時の各部の動作をタイムチャートで例示する動作説明図である。
【図１６】この発明の実施の形態１に至る過程で生まれた技術の事例を示す図で、図１４の事例における開閉器切動作時の各部の動作をタイムチャートで例示する動作説明図である。
【図１７】この発明の実施の形態１に至る過程で生まれた技術の事例を示す図で、図１４の事例における開閉器入動作時の動作をフローチャートで例示する動作説明図である。
【図１８】この発明に至る過程で生まれた技術の事例を示す図で、図１４の事例における開閉器切動作時の動作をフローチャートで例示する動作説明図である。
【図１９】この発明の実施の形態１に至る過程で生まれた技術の事例を示す図で、図１４の事例における開閉器入動作時の動作特性を例示する特性図である。
【図２０】この発明の実施の形態１に至る過程で生まれた技術の事例を示す図で、図１４の事例における開閉器切動作時の動作特性を例示する特性図である。
【発明を実施するための形態】
【００１０】
実施の形態１．
以下この発明の実施の形態１を図１〜図１１により説明する。
【００１１】
閉鎖配電盤内蔵の開閉装置にこの発明を適用した一例を示す接続図である図１に例示してあるように、閉鎖配電盤CL1内には、入指令によりONとなる入信号接点SC（第１の開閉要素）のON動作により付勢される補助リレー（以下補助Ryと略記する）CX、切指令によりONとなる切信号接点ST（第５の開閉要素）のON動作により付勢される補助リレー（以下補助Ryと略記する）TX、補助RyCXが付勢されるとONとなる補助Ry接点（第２の開閉要素）CXaのON動作により付勢される電磁接触器CX1、補助RyTXが付勢されるとONとなる補助Ry接点（第６の開閉要素）TXaのON動作により付勢される電磁接触器TX1、電磁接触器CX1付勢されるとONとなる電磁接触器接点（第３の開閉要素）CX1aのON動作により付勢され開閉器VSの主接点VSMS2（図１２参照）を投入する投入用のコイル（以下「投入コイル」と記す）CC、電磁接触器TX1付勢されるとONとなる電磁接触器接点（第７の開閉要素）TX1aのON動作により付勢され開閉器VSの主接点VSMS2（図１２参照）を開放する開放用のコイル（以下「開放コイル」と記す）TC、電磁接触器接点CX1aのON動作による投入コイルCCへの通電により開閉器VSの主接点VSMS2が入動作するとONとなる開閉器補助接点（第４の開閉要素）52a、電磁接触器接点TX1aのON動作による開放コイルTCへの通電により開閉器VSの主接点VSMS2が切動作するとONとなる開閉器補助接点（第８の開閉要素）52b、制御装置CCD及び開閉器VSの周囲環境の温度を測定する温度センサCTS、及び前記切指令の発令から前記開放コイルTCの前記通電の開始（以下「通電開始」と記す）までの時間が所定時間外であれば前記制御装置CCDの開閉器切時異常と判定し、前記開放コイルTCの前記通電開始から前記第２の補助接点52bの前記動作までの時間が所定時間外であれば前記開閉器VSの開閉器切時異常と判定する動作状態検出装置OSD1が設けられている。 
【００１２】
前記制御装置CCDは、図１の事例では、一点差線で囲んであるように、補助RyCX，TX、
補助Ry接点CXa，Txa、電磁接触器CX1，TX1、電磁接触器接点CX1a，TX1a、及び入出力信号接続線を含む回路となっている。
【００１３】
動作状態検出装置OSD1は、図１の事例では、矢印でも示してあるように、前記入指令の発令情報の信号と前記投入コイルCCの前記通電の開始情報の信号と前記補助接点52aの前記動作の情報の信号とを入力し、前記入指令の発令から前記投入コイルCCの前記通電の開始（以下「通電開始」と記す）までの時間が所定時間外であれば前記制御装置CCDの開閉器入時異常と判定し、前記投入コイルCCの前記通電開始から前記第１の補助接点52aの前記動作までの時間が所定時間外であれば前記開閉器VSの開閉器入時異常と判定し、前記切指令の発令情報の信号と前記開放コイルTCの前記通電の開始情報の信号と前記第２の補助接点52bの前記動作の情報の信号とを入力し、前記切指令の発令から前記開放コイルTCの前記通電開始までの時間が所定時間外であれば前記制御装置CCDの開閉器切時異常と判定し、前記開放コイルTCの前記通電開始から前記第２の補助接点52bの前記動作までの時間が所定時間外であれば前記開閉器VSの開閉器切時異常と判定する。
換言すれば、動作状態検出装置OSD1は、前記第１の開閉要素SCの前記動作の情報の信号と前記第３の開閉要素CX1aの前記動作の情報の信号と前記第４の開閉要素52aの前記動作の情報の信号とから、前記第２の開閉要素CXa及び前記第３の開閉要素CX1aを含む制御装置CCDの開閉器入動作時内部異常と、前記第４の開閉要素52aを含む前記開閉器VSの開閉器入動作時内部異常とを判別して、前記制御装置CCDの開閉器入動作時内部異常と前記開閉器VSの開閉器入動作時内部異常とを区別して検出すると共に、前記第５の開閉要素STの前記動作の情報の信号と前記第７の開閉要素TX1aの前記動作の情報の信号と前記第８の開閉要素52bの前記動作の情報の信号とから、前記第６の開閉要素Txa及び前記第７の開閉要素TX1aを含む制御装置CCDの開閉器切動作時内部異常と、前記第８の開閉要素52bを含む前記開閉器VSの開閉器切動作時内部異常とを判別して、前記制御装置CCDの開閉器切動作時内部異常と前記開閉器VSの開閉器切動作時内部異常とを区別して検出する。
【００１４】
図１の事例における開閉器入動作時の各部の動作をタイムチャートで例示する動作説明図である図２に例示してあるように、
先ず、入指令により接点SCがONになり動作状態検出装置OSD1に外部から入力された入信号として与えられ、
接点SCのONによる補助RyCX付勢により、補助RyCXの接点CXaがONとなって電磁接触器CX1が付勢され、
補助RyCXの接点CXaのONによる電磁接触器CX1の付勢により、電磁接触器CX1の接点CX1a
がONとなって投入コイルCCが付勢され、
投入コイルCCが付勢により開閉器VSの主接点VSMSがONとなり、
開閉器VSの主接点VSMSのONにより、開閉器Vsの補助接点（ａ接点）52aがONとなる。
【００１５】
入指令による接点SCのONの情報（制御装置CCDへの開閉器入信号の入力開始の情報）の
信号、電磁接触器CX1の接点CX1aのONの情報（開閉器VSの投入コイルCCへの通電開始の情
報（制御装置CCDから開閉器VSへの開閉器入信号の出力開始の情報））の信号、及び開閉
器VSの主接点VSMSのONによる開閉器Vsの補助接点（ａ接点）52aのONの情報の信号は、図
１に明示のように、動作状態検出装置OSD1に入力されるので、入指令による接点SCのONの時点A（時間計測開始時点）及び開閉器Vsの補助接点（ａ接点）52aのONの時点B（時間計
測終了時点）から、時点A−B間の経過時間の計時、時点Aから電磁接触器CX1の接点CX1aのON（開閉器VSの投入コイルCCへの通電開始（制御装置CCDから開閉器VSへの開閉器入信号
の出力開始））の時点Cまでの時点A−C間の経過時間の計時、或いは時点C−B間の経過時
間の計時、が動作状態検出装置OSD1で行われる。
【００１６】
動作状態検出装置OSD1において、前記計時された各経過時間は、制御装置CCDの開閉器
入時正常動作の基準所定時間と比較され、また、投入コイル・開放コイルを含む開閉器VS自体の開閉器入時正常動作の基準所定時間と比較され、制御装置CCD内の信号経過時間が
制御装置CCDの開閉器入時正常動作の基準所定時間から外れていれば制御装置CCDの異常（異常であること、或いは異常兆候が出ていること）と判定され、投入コイル・開放コイルを含む開閉器VS内の信号経過時間が開閉器VSの開閉器入時正常動作の基準所定時間から外れていれば開閉器VSの異常（異常であること、或いは異常兆候が出ていること）と判定され、これら判定結果は、動作状態検出装置OSD1の表示装置DPY（図１参照）に表示され、警報報知され、接点SEC，CEC（図１参照）がONして遠方監視制御装置RMC（図１参照）に送信され、遠方監視制御装置RMCにおいても前記判定結果が、表示装置に表示され、警報報知される。
【００１７】
同様に、図１の事例における開閉器切動作時の各部の動作をタイムチャートで例示する動作説明図である図３に例示してあるように、
先ず、切指令により接点STがONになり動作状態検出装置OSD1に外部から入力された切信号として与えられ、
接点STのONによる補助RyTX付勢により、補助RyTXの接点TXaがONとなって電磁接触器TX1が付勢され、
補助RyTXの接点TXaのONによる電磁接触器TX1の付勢により、電磁接触器TX1の接点TX1aがONとなって開放コイルTCが付勢され、
開放コイルTCの付勢により開閉器VSの主接点VSMSがOFFとなり、
開閉器VSの主接点VSMSのOFFにより、開閉器Vsの補助接点（ｂ接点）52bがONとなる。
【００１８】
切指令による接点STのONの情報（制御装置CCDへの開閉器切信号の入力開始の情報）の信号、電磁接触器TX1の接点TX1aのONの情報（開閉器VSの開放コイルTCへの通電開始の情報（制御装置CCDから開閉器VSへの開閉器切信号の出力開始の情報））の信号、及び開閉器VSの主接点VSMSのOFFによる開閉器Vsの補助接点（ｂ接点）52bのONの情報の信号は、図１に明示のように、動作状態検出装置OSD1に入力されるので、切指令による接点STのONの時点D（時間計測開始時点）及び開閉器Vsの補助接点（ｂ接点）52bのONの時点E（時間計測終了時点）から、時点D−E間の経過時間の計時、時点Dから電磁接触器TX1の接点TX1aのON（開閉器VSの開放コイルTCへの通電開始（制御装置CCDから開閉器VSへの開閉器切信号の出力開始））の時点Fまでの時点D−F間の経過時間の計時、或いは時点F−E間の経過時間の計時、が動作状態検出装置OSD1で行われる。
【００１９】
動作状態検出装置OSD1において、前記計時された各経過時間は、制御装置CCDの開閉器
切時正常動作の基準所定時間と比較され、また、投入コイル・開放コイルを含む開閉器VS自体の開閉器切時正常動作の基準所定時間と比較され、制御装置CCD内の信号経過時間が
制御装置CCDの開閉器切時正常動作の基準所定時間から外れていれば制御装置CCDの開閉器切時の異常（異常であること、或いは異常兆候が出ていること）と判定され、投入コイル・開放コイルを含む開閉器VS内の信号経過時間が開閉器VSの開閉器切時正常動作の基準所定時間から外れていれば開閉器VSの開閉器切時の異常（異常であること、或いは異常兆候が出ていること）と判定され、これら判定結果は、動作状態検出装置OSD1の表示装置DPY（図１参照）に表示され、警報報知され、接点SET，CET（図１参照）がONして遠方監視制御装置RMC（図１参照）に送信され、遠方監視制御装置RMCにおいても前記各判定結果が、表示装置に表示され、警報報知される。
【００２０】
図１の事例における開閉器入動作時の動作状態検出装置の動作をフローチャートで例示する動作説明図である図４に例示してあるように、動作状態検出装置OSD1は、
開閉器入動作時には、前記接点SCの閉（ON）により前記入信号を入力し（ステップSTC1）、電磁接触器CX1の状態（接点CX1aの閉（ON）の情報）を取り込み（ステップSTC2）、
開閉器VSの入動作の信号（接点52aの閉（ON）の情報）を取り込み（ステップSTC3）、
図２における前記A−C間の時間を測定すると共に、制御装置CCD内の信号経過時間が制
御装置CCDの開閉器入時正常動作の基準所定時間から外れているかどうか判定し（ステッ
プSTC4）、外れている（YES）場合は、制御装置CCD内の異常であり、制御装置CCD自体が
異常であることを出力するための異常接点CECがONとなり（ステップSTC5）、当該制御装
置CCDの開閉器入動作時異常が動作状態検出装置OSD1の表示装置DPY（図１参照）に表示され、警報報知され、遠方監視制御装置RMC（図１参照）に送信され、遠方監視制御装置RMCにおいても表示装置に表示され、警報報知される。
【００２１】
前記ステップSTC4において、制御装置CCD内の信号経過時間（制御装置CCD自体の動作時間）が制御装置CCDの開閉器入時正常動作の基準所定時間から外れているかどうか判定し
た結果、外れていない（NO）場合は、制御装置CCD自体の異常ではなく、次のステップSTC6に進み、図２における前記A−B間の時間を測定すると共に、前記制御装置CCD自体の動作時間及び開閉器自体の動作時間（前記制御装置CCD自体の動作時間と開閉器自体の動作時間との合計の動作時間）が開閉器入時正常動作の基準所定時間から外れているかどうか判定し（ステップSTC6）、外れている（YES）場合は、前記ステップSTC4における判定結果が制御装置CCD正常であることから、開閉器VS内の異常であるので、開閉器VS自体が異常であることを出力するための異常接点SECがONとなり（ステップSTC7）、当該開閉器VSの開閉器入動作時異常が動作状態検出装置OSD1の表示装置DPY（図１参照）に表示され、警報報知され、遠方監視制御装置RMC（図１参照）に送信され、遠方監視制御装置RMCにおいても表示装置に表示され、警報報知される。
【００２２】
図１の事例における開閉器切動作時の動作状態検出装置の動作をフローチャートで例示する動作説明図である図５に例示してあるように、動作状態検出装置OSD1は、
開閉器切動作時には、前記接点STの閉（ON）により前記切信号を入力し（ステップSTT1）、電磁接触器TX1の状態（接点TX1aの閉（ON）の情報）を取り込み（ステップSTT2）、
開閉器VSの切動作の信号（接点52bの閉（ON）の情報）を取り込み（ステップSTT3）、
図３における前記D−F間の時間を測定すると共に、制御装置CCD内の信号経過時間が制
御装置CCDの開閉器切時正常動作の基準所定時間から外れているかどうか判定し（ステッ
プSTT4）、外れている（YES）場合は、制御装置CCD内の異常であり、制御装置CCD自体が
異常であることを出力するための異常接点CETがONとなり（ステップSTT5）、当該制御装
置CCDの開閉器切動作時異常が動作状態検出装置OSD1の表示装置DPY（図１参照）に表示され、警報報知され、遠方監視制御装置RMC（図１参照）に送信され、遠方監視制御装置RMCにおいても表示装置に表示され、警報報知される。
【００２３】
前記ステップSTT4において、制御装置CCD内の信号経過時間（制御装置CCD自体の動作時間）が制御装置CCDの開閉器切時正常動作の基準所定時間から外れているかどうか判定し
た結果、外れていない（NO）場合は、制御装置CCD自体の異常ではなく、次のステップSTT6に進み、図３における前記D−E間の時間を測定すると共に、前記制御装置CCD自体の動作時間及び開閉器自体の動作時間（前記制御装置CCD自体の動作時間と開閉器自体の動作時間との合計の動作時間）が開閉器切時正常動作の基準所定時間から外れているかどうか判定し（ステップSTT6）、外れている（YES）場合は、前記ステップSTT4における判定結果が制御装置CCD正常であることから、開閉器VS内の異常であるので、開閉器VS自体が異常であることを出力するための異常接点SETがONとなり（ステップSTC7）、当該開閉器VSの開閉器切動作時異常が動作状態検出装置OSD1の表示装置DPY（図１参照）に表示され、警報報知され、遠方監視制御装置RMC（図１参照）に送信され、遠方監視制御装置RMCにおいても表示装置に表示され、警報報知される。
【００２４】
動作状態検出装置OSD1における前記ステップSTC4，STC6，STT4，STT6における前記判定の特性には、制御装置CCD、開閉器VSの周囲環境の環境温度との相関をもたせてある。具
体的には、図６及び図７に例示してあるように、温度センサCTSで測定した制御装置CCD、開閉器VSの周囲環境の環境温度が低い場合の前記基準となる所定時間より、前記周囲環境温度が高い場合の前記基準となる所定時間が短くなるように設定してある。発明者等の開発時の試験では、前記図２及びず３における前記経過時間A−C，A−B，C−B，D−F，D−E，F−Eは、前記環境温度が低くなれば長くなり、前記環境温度が高くなれば短くなることが判明したので、動作状態検出装置OSD1における前記ステップSTC4，STC6，STT4，STT6における前記判定の特性に、制御装置CCD、開閉器VSの周囲環境の環境温度との相関をもたせてある。
【００２５】
また、制御装置CCD、開閉器VSは長い年月で徐々に異常状態になっていくこともあり、
開閉器入動作時及び開閉器切動作時の何れの場合も、図６及び図７に網掛けで例示してあ
るように、前記基準となる所定時間には、時間幅TW1をもたせてある。
【００２６】
従って、動作状態検出装置OSD1は、前記制御装置CCD、前記開閉器VSの何れもその前記
動作時間が、或る温度において、その温度における時間幅TW1をもった前記基準となる所
定時間（前記網掛けの範囲）外の場合に、前記異常と判定する。
なお、図６及び図７に例示のように、時間幅T1より若干狭い時間幅TW2を持たせた所定
時間の外の場合に、異常兆候がある旨の異常警告の出力を出して、前記表示装置DPY、前
記遠隔監視制御装置RMCに表示し、異常予告報知をするようにすれば保守の観点から更に
至便である。
【００２７】
次いで、図６〜９により、更に具体的な数値による事例を説明する。
【００２８】
図８は補助継電器、電磁接触器の各々の温度と時間の関係及び判定基準を示したグラフで、横軸に温度、縦軸に時間を示している。
動作時間の±１０ｍｓ以内すなわちグラフ中の網掛け部範囲内であれば正常時間と見なし、一例として温度２０℃の場合、動作時間が５０ｍｓ±１０ｍｓすなわち４０ｍｓ以上、６０ｍｓ以内であれば正常動作、４０ｍｓ未満６０ｍｓ超過であれば異常と見なす。
【００２９】
開閉器入動作の場合を例示する図６は、制御電圧ＤＣ１００Ｖ時の温度と時間の関係及び判定基準を示したグラフで、横軸に温度、縦軸に時間を示している。
図１に例示の制御装置CCDでは補助継電器CXが１個、電磁接触器CX1が１個、の計２個のため、動作時間の±１０ｍｓ×２倍＝±２０ｍｓ以内、すなわちグラフ中の網掛範囲内であれば正常時間と見なす。
一例として制御電圧ＤＣ１００Ｖ、温度が２０℃の場合、動作時間が２００ｍｓ±２０ｍｓすなわち１８０ｍｓ以上且つ２２０ｍｓ以内であれば正常動作、１８０ｍｓ未満または２２０ｍｓ超過であれば異常動作と見なす。
【００３０】
開閉器切動作の場合を例示する図７は、制御電圧ＤＣ１００Ｖ時の温度と時間の関係及び判定基準を示したグラフで横軸に温度、縦軸に時間を示している。
図１に例示の制御装置CCDでは、補助継電器TXが１個、電磁接触器TX1が１個、の計２個のため、動作時間の±１０ｍｓ×２倍＝±２０ｍｓ以内、すなわちグラフ中の網掛範囲内であれば正常時間と見なす。
一例として制御電圧ＤＣ１００Ｖ、温度が２０℃の場合、動作時間が１５０ｍｓ±２０ｍｓすなわち１３０ｍｓ以上且つ１７０ｍｓ以内であれば正常動作、１３０ｍｓ未満または１７０ｍｓ超過であれば異常動作と見なす。
【００３１】
次に温度補正を実施した場合のメリットを説明する。
図９は制御電圧ＤＣ１００Ｖ時で温度補正を実施していない場合の温度と時間の関係及び判定基準を示したグラフで、横軸に温度、縦軸に時間を示している。
この場合、温度補正を実施していないため温度に関係なく判定基準としては２００ｍｓ±２０ｍｓすなわち１８０ｍｓ以上且つ２２０ｍｓ以下で一定である。
一例として開閉器を温度０℃近傍の環境下で使用しており制御電圧はＤＣ１００Ｖとする。動作時間が図６のグラフ中で正常ポイント例Pであったとすると、実際は正常時間で
あるのにも拘わらず、図９では判定基準範囲外のため異常と誤判定する。
従って、環境温度があまり変化しない環境下で使用される場合は、図９に例示のような温度補正をしない判定特性の動作状態検出装置OSD1でもよいが、環境温度が大きく変化する環境下で使用される場合は、図６及び図７に例示のような温度補正を行い環境温度と相関をもたせた基準の所定時間とする判定特性の動作状態検出装置OSD1とする方がよい。
【００３２】
前述のような開閉器入動作時の異常有無の判定及び開閉器切動作時の異常有無の判定を
行う動作状態検出装置OSD1は、例えば図１０に例示のような内部構成とし、前述の各種の情報信号はIO（入出力装置）、DI（ディジタルインプット）を介してRAMに格納し、ROMに格納されたアプリケーション、設定値などに基づいて、前記補正、前述の判定などをCPU
で実行し、前述の判定結果を表示装置DPYに表示し、IO（入出力装置）を通して遠方監視
制御装置RMCへ判定結果を送出するようにすればよい。
【００３３】
なお、前記コイルCC，TCの電源電圧が変動する場合は、電源電圧が上がれば前記動作時間は短くなり、電源電圧が下がれば前記動作時間は長くなるので、前記コイルCC，TCの電源電圧の情報が前記動作状態検出装置OSD1に与えられ、前記電源電圧が上がれば前記所定時間を短くし、前記電源電圧が下がれば前記所定時間を長くする機能を前記動作状態検出装置OSD1に付加すれば、動作状態検出装置OSD1の動作の信頼性は更に向上する。
【００３４】
また、閉鎖配電盤CL1の一般的な内部構成は、図１１に例示のように、引出し形の開閉
器VSを可移動に収納する主回路室MCRより盤前面側に制御室CRが配設され、制御室CRに前
記補助継電器CX,TXなどの前記制御装置構成部品、表示装置DPY、動作状態検出装置OSD1等が収納されていることから、制御室CRと開閉器VSとの間の位置における盤内上部（開閉器から空間を隔てて開閉器より上方の制御室CR寄りの位置）に前述の環境温度センサCTSを
設置するのが定期性な環境温度測定の観点から好ましい。
【００３５】
実施の形態２．
図１２に例示のように、複数台の閉鎖配電盤CL1，CL2，・・・CLnが設けられている場
合は、各閉鎖配電盤毎に動作状態検出装置OSD1，OSD2，・・・OSDnを設ければ、各閉鎖配電盤毎に前述の異常状態を把握でき、各閉鎖配電盤の保守が容易である。
【００３６】
実施の形態３．
図１３に例示のように、複数台の閉鎖配電盤CL1，CL2，・・・CLnが設けられている場
合に、各閉鎖配電盤CL1，CL2，・・・CLnに共通の動作状態検出装置OSDCを設け、当該共
通の動作状態検出装置OSDCに各閉鎖配電盤毎に前述の異常状態を表示装置に表示すれば、動作状態検出装置OSDCの数が減る分安価になり、しかも、各閉鎖配電盤毎に前述の異常状態を把握でき、各閉鎖配電盤の保守も容易である。
【００３７】
前述の実施の形態１に至る過程で生まれた技術の事例を図１６〜２０に例示してある。
この事例では、図１４に例示のように、図１における投入コイルCC、開放コイルTCへの通電開始の情報の信号が動作状態検出装置OSD1に与えてなく、投入コイルCC,開放コイルTCの電源電圧の情報が動作状態検出装置OSD1に与えられており、動作状態検出装置OSD1の
判定特性に電源電圧との相関をもたせる電源電圧変動補正を行うようにしたものである。
図１４の事例では、投入コイルCC、開放コイルTCへの通電開始の情報の信号が動作状態検出装置OSD1に与えずに前述の電源電圧補正をしていることから、図１５〜図１８に例示のように、実施の形態１のような制御装置CCDと開閉器VSとを区別した異常検出はできな
いが、図１９に例示のように、電源電圧補正をしていなければ異常と判定されるポイントが、電源電圧補正をしてあることから、正常動作と判定できる。
【００３８】
前述の図１〜図２０の各図中、同一符合は同一または相当部分を示す。従って、前述の図１２〜図２０の説明においては、前述の図１〜図１１と同一または相当部分については説明を割愛し、図１〜図１１と実質的に異なる点のみ説明してある。
【００３９】
なお、前述の発明における特徴点は、以下の通りである。
特徴点１：入指令により動作する制御装置CCD、この制御装置の前記入指令による動作により通電される開閉器VSの投入コイルCC、この投入コイルCCが通電されると主接点VSMSが入動作しその補助接点52aが動作する開閉器VS、及び前記入指令の発令情報の信号と前記投入コイルCCの前記通電の開始情報の信号と前記補助接点52aの前記動作の情報の信号とを入力し、前記入指令の発令から前記投入コイルCCの前記通電開始までの時間が所定時間外（他えば、段落００２８，００２９、ほかに例示のように、補助継電器CXが１個、電磁接触器CX1が１個で、制御電圧ＤＣ１００Ｖ、温度が２０℃の場合、（５０ｍｓ±１０ｍｓ）×２＝１００ｍｓ±２０ｍｓ＝８０ｍｓ〜１２０ｍｓで、８０ｍｓ〜１２０ｍｓ外、つまり、８０ｍｓ未満または１２０ｍｓ超の場合）であれば前記制御装置CCDの開閉器入時異常と判定し、前記投入コイルCCの前記通電開始から前記補助接点52aの前記動作までの時間が所定時間外（例えば、環境温度２０℃で、図１９に例示のように、電圧１００Ｖの場合、１５０ｍｓ±５０ｍｓ外、つまり、１００ｍｓ未満または２００ｍｓ超の場合）であれば前記開閉器VSの開閉器入時異常と判定する動作状態検出装置OSD1を備えた開閉装置動作異常検出装置である。
特徴点２：切指令により動作する制御装置CCD、この制御装置CCDの前記切指令による動作により通電される開閉器VSの開放コイルTC、この開放コイルTCが通電されると主接点VSMSが切動作しその補助接点52bが動作する開閉器VS、及び前記切指令の発令情報の信号と前記開放コイルTCの前記通電の開始情報の信号と前記補助接点52bの前記動作の情報の信号とを入力し、前記切指令の発令から前記開放コイルTCの前記通電開始までの時間が所定時間外（例えば、段落００２８，００３０、ほかに例示のように、補助継電器TXが１個、電磁接触器TX1が１個で、制御電圧ＤＣ１００Ｖ、温度が２０℃の場合、（５０ｍｓ±１０ｍｓ）×２＝１００ｍｓ±２０ｍｓ＝８０ｍｓ〜１２０ｍｓで、８０ｍｓ〜１２０ｍｓ外、つまり、８０ｍｓ未満または１２０ｍｓ超の場合）であれば前記制御装置CCDの開閉器切時異常と判定し、前記開放コイルTCの前記通電開始から前記補助接点52bの前記動作までの時間が所定時間外（例えば、環境温度２０℃で、図２０に例示のように、電圧１００Ｖの場合、１００ｍｓ±５０ｍｓ外、つまり、５０ｍｓ未満または１５０ｍｓ超の場合）であれば前記開閉器VSの開閉器切時異常と判定する動作状態検出装置OSD1を備えた開閉装置動作異常検出装置である。
特徴点３：入指令及び切指令により動作する制御装置CCD、この制御装置の前記入指令による動作により通電される開閉器VSの投入コイルCC、前記制御装置の前記切指令による動作により通電される開閉器VSの開放コイルTC、前記投入コイルCCが通電されると主接点VSMSが入動作しその第１の補助接点52aが動作し、前記開放コイルTCが通電されると前記主接点VSMSが切動作しその第２の補助接点52bが動作する開閉器VS、及び前記入指令の発令情報の信号と前記投入コイルCCの前記通電の開始情報の信号と前記補助接点52aの前記動作の情報の信号とを入力し、前記入指令の発令から前記投入コイルCCの前記通電開始までの時間が所定時間外（他えば、段落００２８，００２９、ほかに例示のように、補助継電器CXが１個、電磁接触器CX1が１個で、制御電圧ＤＣ１００Ｖ、温度が２０℃の場合、（５０ｍｓ±１０ｍｓ）×２＝１００ｍｓ±２０ｍｓ＝８０ｍｓ〜１２０ｍｓで、８０ｍｓ〜１２０ｍｓ外、つまり、８０ｍｓ未満または１２０ｍｓ超の場合）であれば前記制御装置CCDの開閉器入時異常と判定し、前記投入コイルCCの前記通電開始から前記第１の補助接点52aの前記動作までの時間が所定時間外（例えば、環境温度２０℃で、図１９に例示のように、電圧１００Ｖの場合、１５０ｍｓ±５０ｍｓ外、つまり、１００ｍｓ未満または２００ｍｓ超の場合）であれば前記開閉器VSの開閉器入時異常と判定し、前記切指令の発令情報の信号と前記開放コイルTCの前記通電の開始情報の信号と前記第２の補助接点52bの前記動作の情報の信号とを入力し、前記切指令の発令から前記開放コイルTCの前記通電開始までの時間が所定時間外（他えば、段落００２８，００３０、ほかに例示のように、補助継電器TXが１個、電磁接触器TX1が１個で、制御電圧ＤＣ１００Ｖ、温度が２０℃の場合、（５０ｍｓ±１０ｍｓ）×２＝１００ｍｓ±２０ｍｓ＝８０ｍｓ〜１２０ｍｓで、８０ｍｓ〜１２０ｍｓ外、つまり、８０ｍｓ未満または１２０ｍｓ超の場合）であれば前記制御装置CCDの開閉器切時異常と判定し、前記開放コイルTCの前記通電開始から前記第２の補助接点52bの前記動作までの時間が所定時間外（例えば、環境温度２０℃で、図２０に例示のように、電圧１００Ｖの場合、１００ｍｓ±５０ｍｓ外、つまり、５０ｍｓ未満または１５０ｍｓ超の場合）であれば前記開閉器VSの開閉器切時異常と判定する動作状態検出装置OSD1を備えた開閉装置動作異常検出装置である。
特徴点４：特徴点１〜特徴点３の何れか一において、前記制御装置CCD及び前記開閉器VSの周囲環境の温度を測定し周囲環境温度の情報の信号を前記動作状態検出装置OSD1に与える温度センサCTSを備え、前記動作状態検出装置OSD1が、所定の温度（例えば、段落００２８，００２９、ほかに例示の２０℃）より前記周囲環境温度が低い場合の前記所定時間より前記周囲環境温度が高い場合の前記所定時間を短くすることを特徴とする開閉装置動作異常検出装置である。
特徴点５：特徴点１〜特徴点４の何れか一において、前記異常と判定する前記所定時間に時間幅TW1を持たせ、当該時間幅TW1外の場合に前記異常と判定することを特徴とする開閉装置動作異常検出装置である。
特徴点６：特徴点１〜特徴点５の何れか一において、前記コイルの電源電圧の情報が前記動作状態検出装置OSD1に与えられ、前記動作状態検出装置OSD1が、前記電源電圧が上がれば前記所定時間を短くし、所定の電圧（例えば、段落００２９、ほかに例示のＤＣ１００Ｖ）より前記電源電圧が下がれば前記所定時間を長くすることを特徴とする開閉装置動作異常検出装置である。
特徴点７：特徴点１〜特徴点６の何れか一において、前記制御装置CCDと前記開閉器VSと前記動作状態検出装置OSD1とが閉鎖配電盤CL1に内蔵されていることを特徴とする開閉装置動作異常検出装置である。
特徴点８：特徴点１〜特徴点７の何れか一において、前記動作状態検出装置OSD1は、前記異常時に外部への警報出力を出すことを特徴とする開閉装置動作異常検出装置である。
特徴点９：入指令により動作する第１の開閉要素SC、この第１の開閉要素の前記動作により動作する第２の開閉要素CXa、この第２の開閉要素の前記動作により動作し開閉器VSの投入コイルCCに通電する第３の開閉要素CX1a、前記投入コイルCCへの通電により前記開閉器VSの主接点VSMSが入動作すると動作する第４の開閉要素52a、及び前記第１の開閉要素SCの前記動作の情報の信号と前記第３の開閉要素CX1aの前記動作の情報の信号と前記第４の開閉要素52aの前記動作の情報の信号とから、前記第２の開閉要素CXa及び前記第３の開閉要素CX1aを含む制御装置CCDの開閉器入動作時内部異常と、前記第４の開閉要素52aを含む前記開閉器VSの開閉器入動作時内部異常とを判別して、前記制御装置CCDの開閉器入動作時内部異常と前記開閉器VSの開閉器入動作時内部異常とを区別して検出する動作状態検出装置OSD1を備えた開閉装置動作異常検出装置である。
特徴点１０：切指令により動作する第５の開閉要素ST、この第５の開閉要素STの前記動作により動作する第６の開閉要素TXa、この第６の開閉要素の前記動作により動作し開閉器VSの開放コイルTCに通電する第７の開閉要素TX1a、前記開放コイルTCへの通電により前記開閉器VSの主接点VSMSが切動作すると動作する第８の開閉要素52b、及び前記第５の開閉要素STの前記動作の情報の信号と前記第７の開閉要素TX1aの前記動作の情報の信号と前記第８の開閉要素52bの前記動作の情報の信号とから、前記第６の開閉要素Txa及び前記第７の開閉要素TX1aを含む制御装置CCDの開閉器切動作時内部異常と、前記第８の開閉要素52bを含む前記開閉器VSの開閉器切動作時内部異常とを判別して、前記制御装置CCDの開閉器切動作時内部異常と前記開閉器VSの開閉器切動作時内部異常とを区別して検出する動作状態検出装置OSD1を備えた開閉装置動作異常検出装置である。
特徴点１１：入指令により動作する第１の開閉要素SC、この第１の開閉要素の前記動作により動作する第２の開閉要素CXa、この第２の開閉要素の前記動作により動作し開閉器VSの投入コイルCCに通電する第３の開閉要素CX1a、前記投入コイルへの通電により前記開閉器VSの主接点VSMSが入動作すると動作する第４の開閉要素52a、切指令により動作する第５の開閉要素ST、この第５の開閉要素STの前記動作により動作する第６の開閉要素TXa、この第６の開閉要素の前記動作により動作し開閉器VSの開放コイルTCに通電する第７の開閉要素TX1a、前記開放コイルへの通電により前記開閉器VSの主接点VSMSが切動作すると動作する第８の開閉要素52b、及び前記第１の開閉要素SCの前記動作の情報の信号と前記第３の開閉要素CX1aの前記動作の情報の信号と前記第４の開閉要素52aの前記動作の情報の信号とから、前記第２の開閉要素CXa及び前記第３の開閉要素CX1aを含む制御装置CCDの開閉器入動作時内部異常と、前記第４の開閉要素52aを含む前記開閉器VSの開閉器入動作時内部異常とを判別して、前記制御装置CCDの開閉器入動作時内部異常と前記開閉器VSの開閉器入動作時内部異常とを区別して検出すると共に、前記第５の開閉要素STの前記動作の情報の信号と前記第７の開閉要素TX1aの前記動作の情報の信号と前記第８の開閉要素52bの前記動作の情報の信号とから、前記第６の開閉要素Txa及び前記第７の開閉要素TX1aを含む制御装置CCDの開閉器切動作時内部異常と、前記第８の開閉要素52bを含む前記開閉器VSの開閉器切動作時内部異常とを判別して、前記制御装置CCDの開閉器切動作時内部異常と前記開閉器VSの開閉器切動作時内部異常とを区別して検出する動作状態検出装置OSD1を備えた開閉装置動作異常検出装置である。
【符号の説明】
【００４０】
CC    投入コイル、
CCD    制御装置、
CL1    閉鎖配電盤、
CTS    温度センサ、
CXa    第２の開閉要素、
CX1a    第３の開閉要素、
OSD1    動作状態検出装置、
SC    第１の開閉要素、
ST    第５の開閉要素、
TC    開放コイル、
TW1    時間幅、
Txa    第６の開閉要素、
TX1a    第７の開閉要素、
VS    開閉器、
VSMS    主接点、
52a    補助接点（第４の開閉要素）、
52b    補助接点（第８の開閉要素）。
【図１】
0005676290.tif 000002
【図２】
0005676290.tif 000003
【図３】
0005676290.tif 000004
【図４】
0005676290.tif 000005
【図５】
0005676290.tif 000006
【図６】
0005676290.tif 000007
【図７】
0005676290.tif 000008
【図８】
0005676290.tif 000009
【図９】
0005676290.tif 000010
【図１０】
0005676290.tif 000011
【図１１】
0005676290.tif 000012
【図１２】
0005676290.tif 000013
【図１３】
0005676290.tif 000014
【図１４】
0005676290.tif 000015
【図１５】
0005676290.tif 000016
【図１６】
0005676290.tif 000017
【図１７】
0005676290.tif 000018
【図１８】
0005676290.tif 000019
【図１９】
0005676290.tif 000020
【図２０】
0005676290.tif 000021